(57)【要約】【課題】簡素な構成でドレンホースからの虫の侵入を防止し、且つ、ドレンホースよりの空気の漏れを防止する空気調和機の室内ユニットを提供すること。【解決手段】熱交換器３と熱交換器３に室内の空気を送り熱交換させる送風ファン２と熱交換器３より発生する凝縮水を貯留し、凝縮水を室外に排出するドレンホース６を備えたドレンパン５とを本体１に収納した空気調和機の室内ユニットであって、ドレンホース６が接続されるドレンパン５の排水口５ａに開閉蓋７を設ける構成とした。【選択図】図１
2008025872.tif 000002
【特許請求の範囲】
【請求項１】
熱交換器と該熱交換器に室内の空気を送り熱交換させる送風ファンと前記熱交換器より発生する凝縮水を貯留し、該凝縮水を室外に排出するドレンホースを備えたドレンパンとを本体に収納した室内ユニットを有する空気調和機であって、前記ドレンホースが接続される前記ドレンパンの排水口に開閉蓋を設けたことを特徴とする空気調和機。
【請求項２】
開閉蓋を、電圧を印加することによって変形をするイオン伝導性高分子素子で構成された高分子シートによって形成したことを特徴とする請求項１に記載の空気調和機。
【請求項３】
開閉蓋を、複数のイオン伝導性高分子素子を弾性樹脂で被包して薄板状にした材料で形成したことを特徴とする請求項２に記載の空気調和機。
【請求項４】
開閉蓋は、電圧を印加した時だけ変形し、電圧の印加を停止すると変形を停止し、変形した状態を保持し、且つ、逆電圧を印加すると逆方向に変形する性質を持つ高分子シートで形成したことを特徴とする請求項２又は３に記載の空気調和機。
【請求項５】
室内ユニットの熱交換器から凝縮水が発生する運転をしている時、及びその運転の停止後一定時間のみ開閉蓋が、送風ファン側を支点としてドレンパンの排水口を開く様に電圧の印加を制御したことを特徴とする請求項２〜４のうちいずれか一項に記載の空気調和機。
【発明の詳細な説明】
【技術分野】
【０００１】
本発明は室内ユニットに設けられたドレンパンの排水口の開閉蓋に関するものである。
【背景技術】
【０００２】
従来の空気調和機の室内ユニットは、熱交換器、送風ファン、ドレンパンを収納してなり、送風ファンにて空気吸込み口から室内空気を吸込み、これを熱交換器で熱交換を行った後、吹き出し口から吹き出し室内の温度調整を行っている。
【０００３】
図５は従来の空気調和機の室内ユニットの断面図である。図５において、室内ユニットの本体１は室内の空気を吸い込む送風ファン２を備えた部屋Ａ室１ａと吸い込まれた空気を熱交換する熱交換器３を備えた部屋Ｂ室１ｂに分かれている。Ａ室１ａの背面の吸込み口１ｃから送風ファン２によって吸い込まれた空気はＢ室１ｂに送られ熱交換器３で熱交換されＢ室１ｂの前面に設けた吹き出しグリル４を通過し室内に吹き出される。冷房運転時に、熱交換器３より発生した凝縮水は、熱交換器３の下部に設けたドレンパン５を介して、ドレンパン５に接続されたドレンホース６を通過して室外に排水される構成となっている。
【０００４】
しかしながら、図５に示すように従来の構成では、ドレンパン５の排水口５ａはドレンホース６を介して室内と室外が連通しており、特に運転停止時には、ドレンホースを介して室外から室内ユニットに虫や塵埃が進入する可能性がある。そこで、それを防止する技術が開示されている（例えば、特許文献１参照）。
【０００５】
図６は特許文献１に示されたドレンホースの排水開口用蓋具の一部切欠斜視図である。ドレンホースの末端開口部に接続するキャップ本体１に、装着部１０と、末端開口面に対向して内部に形成した網目、格子状の防虫手段２０とを備える。これによって、ドレンホースから室内ユニットに虫などの侵入を防ぐことができる。
【特許文献１】特開２００１−２８０６４８号公報
【発明の開示】
【発明が解決しようとする課題】
【０００６】
しかしながら、図６に示すような従来の構成では、虫等が室内ユニットに浸入することは防止できるものの、ファンの吹き出し空気流がこの排水口より外部に漏れることは変わらず、そのため熱交換器を通過する風の量が減少し、所定の熱交換性能が発揮できないという課題を有していた。
【０００７】
本発明は、前記従来の課題を解決するもので、室外からの虫等の侵入を防止するとともに、室外への空気漏れを抑えて熱交換性能の低下を防止できる空気調和機の室内機を提供することを目的とする。
【課題を解決するための手段】
【０００８】
前記従来の課題を解決するために、本発明は、熱交換器と該熱交換器に室内の空気を送り熱交換させる送風ファンと前記熱交換器より発生する凝縮水を貯留し、該凝縮水を室外に排出するドレンホースを備えたドレンパンとを本体に収納した室内ユニットを有する空気調和機であって、前記ドレンホースが接続される前記ドレンパンの排水口に開閉蓋を設けたことを特徴とする。
【０００９】
この発明により、ドレンパンの排水口を塞ぐことが可能となり、虫等の侵入を防止でき
、また室外への空気の漏れを防止することができる。
【発明の効果】
【００１０】
本発明によれば、ドレンパンの排水口に開閉蓋を設けることにより、室外よりの虫の侵入を防止し、室外への空気漏れを抑え熱交換性能の低下を防止できる空気調和機の室内機を提供することができる。
【発明を実施するための最良の形態】
【００１１】
第１の発明は、熱交換器と該熱交換器に室内の空気を送り熱交換させる送風ファンと前記熱交換器より発生する凝縮水を貯留し、該凝縮水を室外に排出するドレンホースを備えたドレンパンとを本体に収納した室内ユニットを有する空気調和機であって、前記ドレンホースが接続される前記ドレンパンの排水口に開閉蓋を設けたことを特徴とする。
【００１２】
この発明により、ドレンパンの排水口を塞ぐことが可能となり、虫等の侵入を防止でき、また室外への空気の漏れを防止することができる。
【００１３】
第２の発明は、第１の発明において、ドレンホースが接続されるドレンパンの排水口に、電圧を印加することによって変形をするイオン伝導性高分子素子で構成された高分子シートによって形成した開閉蓋を設けたことを特徴とするもので、
この発明により、開閉蓋の材料として、電圧を印加することによって変形をする高分子シートを採用することにより。容易に開閉蓋の開閉が行え機械的に開閉するときに比べ制御性を格段に向上することができる。
【００１４】
第３の発明は、第２の発明の開閉蓋を、複数の前記イオン伝導性高分子素子を弾性樹脂で被包し薄板状にした材料で形成したことを特徴とするもので、
この発明により、弾性樹脂材によって、イオン伝導性高分子素子及びその電極の外部への露出が阻止され美観性が良好となり商品価値が向上すると共に、イオン伝導性高分子素子および電極の損傷の発生が防止されることで耐久性が向上する。
【００１５】
第４の発明は、電圧を印加した時だけ変形し、電圧の印加を停止すると変形を停止し、変形した状態を保持し、且つ、逆電圧を印加すると逆方向に変形する性質を持つ高分子シートで開閉蓋を形成したことを特徴とするもので、
この発明により、形状記憶合金のように形状変形時のみならず変形後の保持期間においても常時電圧を印加する必要がある場合に比して、消費電力が少なくてすみ、省エネ性に優れた運転が可能である。
【００１６】
第５の発明は、熱交換器から凝縮水が発生する運転をしている時（冷房運転等）、及びその運転の停止後一定時間のみ前記開閉蓋が、前記送風ファン側を支点として前記ドレンパンの排水口を開く様に電圧の印加を制御したことを特徴とするもので、
この発明により、冷房運転等の熱交換器より凝縮水が発生する場合には、凝縮水を排水しその他の凝縮水が発生しない運転時や停止時には、開閉蓋を閉じ虫の侵入を防止すると共に室外への空気の漏れを防止することができる。また、開閉蓋の支点を送風ファン側に設けたことにより、開閉蓋が開いた時も、送風ファンで作られた空気の流れを開閉蓋がドレンパンの排水口の手前で遮ることとなり、空気が室外に漏れる量を減らすことができる。
以下、本発明の実施の形態について、図面を参照しながら説明する。
【００１７】
（実施の形態１）
図１は本発明の実施の形態における空気調和機の室内ユニットの断面図で、図２は、図１の要部詳細図である。図１に示されるように、室内ユニットの本体１は室内の空気を吸い込む送風ファン２を備えた部屋Ａ室１ａと吸い込まれた空気を熱交換する熱交換器３を
備えた部屋Ｂ室１ｂに分かれている。Ａ室１ａの背面の吸込み口１ｃから送風ファン２によって吸い込まれた空気はＢ室１ｂに送られ熱交換器３で熱交換されＢ室１ｂの前面に設けた吹き出しグリル４を通過し室内に吹き出される。冷房運転や除湿運転では熱交換器３の表面に凝縮水が発生し、凝縮水は、熱交換器３の下部に設けたドレンパン５に流れ込み、ドレンパン５に設けた排水口５ａに接続され室外に通じるドレンホース６を介して室外に排出される。
【００１８】
開閉蓋７はドレンパン５に設けた排水口５ａを開閉できる蓋であり、制御信号で機械的に開閉することができる。図１では開閉蓋７が閉じている状態を示し、図２は開閉蓋７が開いている状態を示している。冷房運転などの凝縮水が発生する時には、凝縮水を室外に排水するため開いているが暖房運転時は凝縮水が発生しないため排水の必要が無いため閉じている。また、運転停止時は凝縮水がドレンパン５に残っている場合があるため、冷房防運転などの凝縮水が発生する運転の後は、運転停止から一定時間経過した後開閉蓋７を閉じる制御となっている。
【００１９】
（実施の形態２）
次に実施の形態２について説明する。実施の形態１と比べて開閉蓋７の構成を変えたものであり、その部分についてのみ説明する。図３は、本発明の実施の形態における空気調和機の開閉蓋の断面模式図である。開閉蓋７の材質は、電圧を印加することによって一定方向に変形をする高分子シート７ａによって形成されており、排水口５ａを覆う様に配置され送風ファン２側がドレンパン５に固定されている。図２では開閉蓋７に電圧を印加し開閉蓋７が変形し排出口５ａを開いた状態を示している。
【００２０】
ここで、開閉蓋７の材料について説明する。図３に示すように高分子シート７ａはイオン伝導性高分子素子７ｂを弾性樹脂材７ｃで被包されている。図４はイオン伝導性高分子素子による高分子シートの動作を説明する断面模式図で、（ａ），（ｃ）はそれぞれ反対に電圧を印可した状態を示し、（ｂ）は電圧を印可する前の状態を示すものである。このイオン伝導性高分子素子７ｂは図４に示すように、含水高分子素子７ｄの両面にそれぞれ電極７ｅ，７ｆを配置して構成された板状部材であって、電極７ｅと電極７ｆとを、極性切り替えスイッチ８を介して直流電源９に接続し、極性切り替えスイッチ８の切り替え操作によって、電極７ｅと電極７ｆの極性を適宣変更することで反り変形を生じるものである。
【００２１】
具体的には、図４（ａ）に示す様に、電極７ｅを「陽極」に、電極７ｆを「陰極」に設定すると、含水高分子素子７ｄ内の「陽イオン７ｇ」が水を伴って「陰極」側へ移動し、含水量が「陰極」側に偏在し、「陰極」側と「陽極」側との間に膨潤差が生じてイオン伝導性高分子素子７ｂが「陰極」側、即ち、上記電極７ｅ側へ凸状に反り変形するものである。逆に図４（ｃ）に示すように電極７ｅを「陰極」に、上記電極７ｆを「陽極」に設定すると、含水高分子素子７ｄ内の「陽イオン７ｇ」が水を伴って「陰極」側へ移動し、含水量が「陰極」側に偏在し、「陰極」側と「陽極」側との間に膨潤差が生じてイオン伝導性高分子素子７ｄが「陰極」側、即ち、上記電極７ｆ側へ凸状に反り変形するものである。この様に電圧印加の極性を変更することでイオン伝導性高分子素子７ｂを反り変形させることができるものである。
【００２２】
上記に示した高分子シート７ａを開閉蓋７に使用することにより、開閉蓋７が閉じた状態で電圧を印加すると高分子シート７ａは、図２に示すように反り、高分子シート７ａの片側が送風ファン２側で固定されているため、その固定側が支点１０となり、熱交換器３側が開き、開閉蓋７が開いた状態となる。この時、支点１０が送風ファン２側に有るため、開閉蓋７が動作してできたドレンパン５の排水口５ａの開口部は熱交換器３側に開いており、冷房運転の時など、開閉蓋７を開いて運転する場合でも、送風ファン２より送られ
た空気のいくらかが、開閉蓋７で遮られ排水口５ａより室外に漏れる空気を削減することができ、性能低下を防止することができる。開閉蓋７を閉じる時は、開いた時の逆方向の電圧を印加することにより可能である。
【００２３】
また、高分子シート７ａはイオン伝導性高分子素子７ｂを弾性樹脂材７ｃで被包されており、イオン伝導性高分子素子７ｂ及びその電極７ｅ，７ｆの外部への露出が阻止され、イオン伝導性高分子素子７ｂおよび電極７ｅ，７ｆの損傷の発生が防止されることで耐久性が向上する。
【００２４】
さらに、イオン伝導性高分子素子７ｂには、電圧印加によって、これを所定側へ反り変形させた後、電圧印加を停止しても、電圧印加停止前の反り変形状態をそのまま維持するという性状を持ち、従って、このイオン伝導性高分子素子７ｂはこれを反り変形させる時にのみ電圧印加を行えば良いものである。従って、形状記憶合金のように形状変形時のみならず変形後の保持期間においても常時電圧を印加する必要がある場合に比べて、消費電力が少なくてすみ、省エネ性に優れている。
【００２５】
一方、開閉蓋７の開閉は、電子制御により電圧を印加するタイミング、電流の方向を制御しており、動作としては実施の形態１と同じであるが、実施の形態１では開閉蓋７が機械的に動作するが、実施の形態２では、開閉蓋７が高分子シート７ａで形成されており構造が簡単で電子制御により容易に操作することができる。
【００２６】
以上のようにして、本発明にかかる空気調和機は、ドレンパンに開閉蓋を設け、開閉蓋の材質を高分子シートとしたことにより開閉を容易に行い、室外から虫等が侵入するのを防止し、室外への空気の漏れを抑え熱交換性能の低下を最小限に抑えることができる。
【産業上の利用可能性】
【００２７】
以上のように、本発明にかかる空気調和機は、ドレンパンに開閉蓋を設け、開閉蓋の材質を高分子シートとしたことにより開閉を容易に行い、室外から虫等が侵入するのを防止し、室外への空気の漏れを抑え熱交換性能の低下を最小限に抑えることができるもので、空気調和機に限らず、室内と室外とを貫通する構造を任意に閉鎖する機構として有用である。
【図面の簡単な説明】
【００２８】
【図１】本発明の実施の形態における空気調和機の室内ユニットの断面図
【図２】図１の要部拡大図
【図３】本発明の実施の形態２における空気調和機の開閉蓋の断面模式図
【図４】本発明の実施の形態２における空気調和機のイオン伝導性高分子素子による高分子シートの動作を説明する断面模式図、（ａ），（ｃ）はそれぞれ反対に電圧を印可した状態を示す図、（ｂ）は電圧を印可する前の状態を示す図
【図５】従来の空気調和機の室内ユニットの断面図
【符号の説明】
【００２９】
１  本体
２  送風ファン
３  熱交換器
５  ドレンパン
５ａ  排水口
６  ドレンホース
７  開閉蓋
７ａ  高分子シート
７ｂ  イオン伝導性高分子素子
１０  支点
【図１】
2008025872.tif 000003
【図２】
2008025872.tif 000004
【図３】
2008025872.tif 000005
【図４】
2008025872.tif 000006
【図５】
2008025872.tif 000007